(57)【要約】【課題】  サービス品質及びユーザの利便性を向上させることができるマルチメディアコンテンツの再生方法及び装置を提供する。【解決手段】  マルチメディアコンテンツファイルはマルチメディアコンテンツを制御するコンテンツメニューを含む。マルチメディアコンテンツ再生装置は、マルチメディアコンテンツファイルで提供されるコンテンツメニューを通じてマルチメディアコンテンツを制御する。特に、コンテンツメニューは、各マルチメディアコンテンツに形成されるので、該当マルチメディアコンテンツの特性に合うように構成される。これにより、マルチメディアコンテンツ再生装置はマルチメディアコンテンツを提供する際、各マルチメディアコンテンツの特性に合う多様なサービスが提供できるので、サービス品質及びユーザの利便性を向上させることができる。【選択図】      図１
2007159107.tif 000002
【特許請求の範囲】
【請求項１】
（ａ）マルチメディアコンテンツを提供するマルチメディアコンテンツファイルからマルチメディアコンテンツを制御するためのコンテンツメニューを検出して前記コンテンツメニューを表示するステップと、
（ｂ）前記コンテンツメニューの中で特定のコンテンツメニューが選択されると、前記選択されたコンテンツメニューに対応するコンテンツサービスを提供するステップとを含むことを特徴とするマルチメディアコンテンツ再生方法。
【請求項２】
前記ステップ（ａ）は、
（ａ−１）前記マルチメディアコンテンツファイルに前記コンテンツメニューが存在するか否かを判断するステップと、
（ａ−２）前記マルチメディアコンテンツファイルに前記コンテンツメニューが存在すると、前記コンテンツメニューを表示するステップと、
（ａ−３）前記マルチメディアコンテンツファイルに前記コンテンツメニューが存在しないと、前記マルチメディアコンテンツファイルから映像データ及び音声データを取り出して映像及び音声を出力するステップとを含むことを特徴とする請求項１に記載のマルチメディアコンテンツ再生方法。
【請求項３】
前記ステップ（ｂ）は、
（ｂ−１）前記選択されたコンテンツメニューが前記マルチメディアコンテンツに対応する映像及び音声を再生する再生メニューであると、前記映像及び音声を再生するステップと、
（ｂ−２）前記選択されたコンテンツメニューが前記マルチメディアコンテンツに対する情報を要請する要請メニューであると、前記マルチメディアコンテンツに対する情報を前記マルチメディアコンテンツファイルから取り出して表示するステップと、を含むことを特徴とする請求項１に記載のマルチメディアコンテンツ再生方法。
【請求項４】
前記ステップ（ｂ−１）は、
（ｂ−１−１）前記映像に対応する映像データ及び前記音声に対応する音声データが前記マルチメディアコンテンツファイルに存在すると、前記マルチメディアコンテンツファイルから前記映像データ及び前記音声データを検出して前記映像及び前記音声を再生するステップと、
（ｂ−１−２）前記映像データ及び前記音声データが前記マルチメディアコンテンツファイルに存在しないと、前記マルチメディアコンテンツを提供するコンテンツ提供装置から通信網を介して前記映像データ及び前記音声データを受信し、前記映像及び前記音声を再生するステップとを含むことを特徴とする請求項３に記載のマルチメディアコンテンツ再生方法。
【請求項５】
前記ステップ（ｂ）は、
（ｂ−３）前記選択されたコンテンツメニューが前記動画の再生環境を設定する再生環境設定メニューであると、前記再生環境を設定する画面を表示するステップを更に含むことを特徴とする請求項３に記載のマルチメディアコンテンツ再生方法。
【請求項６】
前記ステップ（ｂ）は、
（ｂ−４）前記選択されたコンテンツメニューが前記動画の主要スチール画面を要請するスチール画面メニューであると、前記動画の主要スチール画面を表示するステップを更に含むことを特徴とする請求項３に記載のマルチメディアコンテンツ再生方法。
【請求項７】
（ｃ）前記コンテンツサービスが終了すると、前記コンテンツメニューを再び表示するステップを更に含むことを特徴とする請求項１に記載のマルチメディアコンテンツ再生方法。
【請求項８】
前記マルチメディアコンテンツファイルは、前記コンテンツメニュー及び前記コンテンツメニューに対応するサービスを提供するメタデータを更に含むことを特徴とする請求項１に記載のマルチメディアコンテンツ再生方法。
【請求項９】
マルチメディアコンテンツファイルから前記マルチメディアコンテンツを制御するコンテンツメニューを検出して出力するメニュー処理部と、
前記コンテンツメニューの中で選択されたコンテンツメニューに対応して前記マルチメディアコンテンツを制御する制御部と、
前記制御部の制御によって前記マルチメディアコンテンツに対応する映像データ及び前記選択されたコンテンツメニューに対応するコンテンツサービスを提供するためのデータを復号化して出力する映像処理部と、
前記制御部の制御によって前記マルチメディアコンテンツに対応する音声データを復号化して出力する音声処理部とを含むことを特徴とするマルチメディアコンテンツ再生装置。
【請求項１０】
通信網を介して前記マルチメディアコンテンツを提供する前記マルチメディアコンテンツファイルを受信する通信部を更に含むことを特徴とする請求項９に記載のマルチメディアコンテンツ再生装置。
【請求項１１】
前記マルチメディアコンテンツファイルは、前記コンテンツメニュー及び前記コンテンツメニューに対応するコンテンツサービスを提供するためのデータを備えるメタデータを含むことを特徴とする請求項９に記載のマルチメディアコンテンツ再生装置。
【請求項１２】
前記マルチメディアコンテンツファイルは、前記映像データ及び前記音声データを更に含むことを特徴とする請求項１１に記載のマルチメディアコンテンツ再生装置。
【請求項１３】
前記映像処理部から前記映像データを受信して映像を表示し、前記メニュー処理部から前記コンテンツメニューを受信して表示し、前記選択されたコンテンツメニューに対応するメタデータを表示する映像表示部と、
前記音声処理部から前記音声データを受信して音声を出力する音声出力部と、を更に含むことを特徴とする請求項９に記載のマルチメディアコンテンツ再生装置。
【請求項１４】
パーサー部と、
モード分析部と、を更に含み、
前記パーサー部はメタデータを検出してパーシングし、前記パーシングされたメタデータを前記モード分析部に提供することを特徴とする請求項１１に記載のマルチメディアコンテンツ再生装置。
【請求項１５】
前記モード分析部は、前記コンテンツメニューを含む前記パーサー部から受信されたメタデータであるか否かを決定し、前記パーサー部から受信されたメタデータがコンテンツメニューを含むと、前記メニュー処理部に前記コンテンツメニューを提供することを特徴とする請求項１４に記載のマルチメディアコンテンツ再生装置。
【発明の詳細な説明】
【技術分野】
【０００１】
本発明はマルチメディアコンテンツの再生方法及び装置に関し、より詳細にはマルチメディアコンテンツの再生時、多様なメニューを提供するマルチメディアコンテンツの再生方法及び装置に関する。
【背景技術】
【０００２】
デジタル技術の発達に伴いマルチメディアコンテンツサービスも多様な方法で提供されている。特に、マルチメディアコンテンツは、オンライン上でストリーミングサービス又はダウンロードサービスを通じて提供されている。ストリーミングサービスは、マルチメディアコンテンツファイルをダウンロードしながらリアルタイムでマルチメディアコンテンツファイルに対応する動画を再生する。一方、ダウンロードサービスは、マルチメディアコンテンツファイルのダウンロードが完了した状態でマルチメディアコンテンツファイルに対応する動画を再生する。
【０００３】
マルチメディアコンテンツファイルは、実質的に動画を再生するためのメディアデータ及び動画に対する簡略な説明のためのメタデータを含む。
【０００４】
メタデータは、動画に対する簡略情報、例えば、動画タイトル、動画製作者、動画配布者、再生時間などを含み、テキスト形態で構成される。
【０００５】
前述のマルチメディアコンテンツファイルは、コンピューター、デジタルテレビ及びデジタルセットトップボックスのような映像処理装置によって再生される。映像処理装置はマルチメディアコンテンツファイルを再生するためのメディア再生プログラムを内蔵する。メディア再生プログラムは動画を再生し、マルチメディアコンテンツファイルのメタデータを表示するメニューを提供する。このように、メタデータはメディア再生プログラムのメニューを通じて表示される。これにより、ユーザがマルチメディアコンテンツのメタデータを参照するためには、マウスやキーボード又はリモコンのような入力装置を何回も操作しなければならないので、ユーザの利便性が低下する。
【０００６】
また、メディア再生プログラムのメニューは全てのマルチメディアコンテンツに同一に適用されるので、各マルチメディアの特性に合う個別化されたメニューを提供することができない。
【０００７】
また、現在マルチメディアコンテンツで提供するメタデータは、その内容が極めて制限的であるので、マルチメディアコンテンツに対する多様な情報を提供することができない。
【特許文献１】韓国公開特許第２００４−０３３７６６号公報
【特許文献２】日本公開特許第２００４−２８２１１４号公報
【特許文献３】韓国公開特許第２００４−０５５０８７号公報
【特許文献４】日本公開特許第２００１−２９２４０７号公報
【発明の開示】
【発明が解決しようとする課題】
【０００８】
本発明は前述の問題点を解決するために提出されたもので、本発明の目的は、マルチメディアコンテンツの特性に応じて個別化されたメニューを提供することで、サービス品質を向上させることができるマルチメディアコンテンツ再生方法を提供することにある。
【０００９】
また、前記マルチメディアコンテンツ再生方法を行うマルチメディアコンテンツ再生装置を提供することにある。
【課題を解決するための手段】
【００１０】
本発明の目的を実現するための一つの特徴に係るマルチメディアコンテンツ再生方法は、まず、マルチメディアコンテンツを提供するマルチメディアコンテンツファイルがローディングされると、マルチメディアコンテンツファイルからマルチメディアコンテンツを制御するためのコンテンツメニューを検出してコンテンツメニューを表示する。次に、コンテンツメニューの中で特定のコンテンツメニューが選択されると、選択されたコンテンツメニューに対応するコンテンツサービスを提供する。
【００１１】
コンテンツメニューを表示する過程は、まず、マルチメディアコンテンツファイルがローディングされると、マルチメディアコンテンツファイルにコンテンツメニューが存在するか否かを判断する。判断結果、コンテンツメニューが存在すると、コンテンツメニューを表示する。一方、判断結果、コンテンツメニューが存在しないと、マルチメディアコンテンツファイルから映像データ及び音声データを取り出して映像及び音声を出力する。
【００１２】
コンテンツサービスを提供する過程は、まず、選択されたコンテンツメニューがマルチメディアコンテンツに対応する映像及び音声を再生するメニューであると、映像及び音声を再生する。選択されたコンテンツメニューがマルチメディアコンテンツに対する情報を要請するメニューであると、マルチメディアコンテンツに対する情報をマルチメディアコンテンツファイルから取り出して表示する。
【００１３】
好ましくは、映像及び音声を再生する過程は、映像データ及び音声データがマルチメディアコンテンツファイルに存在すると、マルチメディアコンテンツファイルから映像データ及び音声データを検出して映像及び音声を再生する。一方、映像データ及び音声データがマルチメディアコンテンツファイルに存在しないと、マルチメディアコンテンツを提供するコンテンツ提供装置から通信網を介して映像データ及び音声データを受信し、映像及び音声を再生する。一方、好ましくは、コンテンツサービスを提供する過程は、選択されたコンテンツメニューが動画の再生環境を設定するメニューであると、再生環境を設定する画面を表示する過程を更に含む。
【００１４】
より好ましくは、コンテンツサービスを提供する過程は、選択されたコンテンツメニューが動画の主要スチール画面を要請するメニューであると、動画の主要スチール画面を表示する過程を更に含む。
【００１５】
また、マルチメディアコンテンツ再生方法は、コンテンツサービスが終了すると、コンテンツメニューを再び表示する過程を更に含む。
【００１６】
また、マルチメディアコンテンツファイルは、コンテンツメニュー及びコンテンツメニューに対応するコンテンツサービスを提供するメタデータを更に含む。
【００１７】
また、前述した本発明の目的を実現するための一つの特徴に係るマルチメディアコンテンツ再生装置は、メニュー処理部、制御部、映像処理部、音声処理部からなる。
【００１８】
メニュー処理部は、マルチメディアコンテンツファイルからマルチメディアコンテンツを制御するコンテンツメニューを検出して出力する。制御部は、コンテンツメニューの中で選択されたコンテンツメニューに対応してマルチメディアコンテンツを制御する。映像処理部は、制御部の制御によってマルチメディアコンテンツに対応する映像データを復号化して出力する。音声処理部は、制御部の制御によってマルチメディアコンテンツに対応する音声データを復号化して出力する。
【００１９】
好ましくは、マルチメディアコンテンツを提供するためのマルチメディアコンテンツファイルを通信網を介して受信する通信部を更に含むことができる。
【００２０】
好ましくは、マルチメディアコンテンツファイルは、コンテンツメニュー及びコンテンツメニューに対応するコンテンツサービスを提供するためのデータを備えるメタデータを含む。
【００２１】
より好ましくは、マルチメディアコンテンツファイルは、映像データ及び音声データを更に含む。
【００２２】
一方、好ましくは、マルチメディアコンテンツ再生装置は、映像表示部及び音声出力部を更に含む。映像表示部は、映像処理部から映像データを受信して映像を表示し、メニュー処理部からコンテンツメニューを受信して表示し、選択されたコンテンツメニューに対応するメタデータを表示する。音声出力部は、音声処理部から音声データを受信して音声を出力する。
【００２３】
好ましくは、パーサー部と、モード分析部と、を更に含み、パーサー部はメタデータを検出してパーシングし、パーシングされたメタデータをモード分析部に提供することができる。
【００２４】
より好ましくは、モード分析部は、コンテンツメニューを含むパーサー部から受信されたメタデータであるか否かを決定し、パーサー部から受信されたメタデータがコンテンツメニューを含むと、メニュー処理部にコンテンツメニューを提供することができる。
【発明の効果】
【００２５】
本発明によると、マルチメディアコンテンツ再生装置は、マルチメディアコンテンツファイルから提供されるコンテンツメニューを通じてマルチメディアコンテンツを制御する。コンテンツメニューは各マルチメディアコンテンツに形成されるので、該当マルチメディアコンテンツの特性に合うように構成される。これにより、マルチメディアコンテンツ再生装置は、マルチメディアコンテンツを提供する際、各マルチメディアコンテンツの特性に合う多様なサービスを提供することができるので、サービス品質を向上させることができる。
【００２６】
また、ユーザはマルチメディアコンテンツを利用する際、コンテンツメニューを利用してマルチメディアコンテンツを操作することができるので、マルチメディアコンテンツ再生装置はユーザの利便性を向上させることができる。
【００２７】
また、マルチメディアコンテンツ再生装置は、マルチメディアコンテンツに対する単純情報ではなく具体的な情報を多様に提供することができるので、サービス品質を向上させることができる。
【発明を実施するための最良の形態】
【００２８】
以下、添付の図面に基づいて本発明の好適な実施形態を詳述する。
【００２９】
図１は、本発明の一実施形態に係るマルチメディアコンテンツ再生装置を示すブロック図であり、図２は図１に示されたマルチメディアコンテンツ再生装置で再生されるマルチメディアコンテンツファイルの構造を示すブロック図である。
【００３０】
図１及び図２に示すように、本発明に係るマルチメディアコンテンツ再生装置１００は、通信部１０５、デマルチプレクサ１３０、映像処理部１３５、音声処理部１４０、及び制御部１４５を含む。
【００３１】
具体的に、通信部１０５は、通信プロトコルを内蔵し、通信網２００に連結され通信網２００を介してデータを送受信する。特に、通信部１０５は、通信網２００に連結されたコンテンツ提供装置３００からＶＯＤ（ビデオオンデマンド）サービスのためのマルチメディアコンテンツファイル４００を受信する。ここで、マルチメディアコンテンツファイル４００は、ダウンロードサービス形態で提供されることもあり、ストリーミングサービス形態で提供されることもある。ダウンロードサービスは、マルチメディアコンテンツファイル４００のダウンロードが完了した後にマルチメディアコンテンツに対応する動画を再生するサービスである。ストリーミングサービスは、マルチメディアコンテンツファイル４００をダウンロードしながらリアルタイムでマルチメディアコンテンツに対応する動画を再生するサービスである。
【００３２】
図２に示すように、マルチメディアコンテンツファイル４００は、ファイルヘッダ部４１０、基本メタデータ部４２０、拡張メタデータ部４３０及び動画データ部４４０を含む。
【００３３】
ファイルヘッダ部４１０は、マルチメディアコンテンツファイル４００が提供されるコンテンツ提供装置４００のインターネットプロトコル（以下、ＩＰ）アドレス、マルチメディアコンテンツ再生装置１００のＩＰアドレス、基本メタデータ部４２０、拡張メタデータ部４３０及び動画データ部４４０の開始地点などを示す情報を保存する。
【００３４】
基本メタデータ部４２０は、テキスト形態のメタデータからなり、マルチメディアコンテンツファイル４００の簡略情報、例えば、マルチメディアコンテンツファイル４００に対応する動画タイトル、製作者、著作権、再生時間などを含む。
【００３５】
拡張メタデータ部４３０は、マルチメディアコンテンツファイル４００に対応するコンテンツサービスを提供するためのコンテンツメニューを提供するメタデータを保存する。コンテンツサービスはマルチメディアコンテンツ、即ち、動画に対応する具体的な情報を提供し、マルチメディアコンテンツの出力環境をユーザの操作に応じて調整可能なサービスを提供する。ここで、コンテンツメニューに対する具体的な説明は図３及び図４に基づいて後述することにする。
【００３６】
本実施形態において、マルチメディアコンテンツファイル４００は、拡張メタデータ部４３０と一体で形成されるが、拡張メタデータ部４３０はマルチメディアコンテンツのサービス方法によってマルチメディアコンテンツファイル４００から分離され形成されることもある。拡張メタデータ部４３０がマルチメディアコンテンツファイル４００から分離され提供される場合、多数のマルチメディアコンテンツに対応する多数の拡張メタデータ部を一つのファイルに形成して提供することもできる。このように、拡張メタデータのみからなるファイルは、マルチメディアコンテンツを広報する広報用ファイルとして利用され得る。
【００３７】
動画データ部４４０は、動画を再生するための実質的なデータを保存する。
【００３８】
通信部１０５は、このようなマルチメディアコンテンツファイル４００をコンテンツ提供装置３００から受信してパーサー部１１０及びデータ保存部１２５に提供する。
【００３９】
パーサー部１１０は、マルチメディアコンテンツファイル４００の基本メタデータ部４２０及び拡張メタデータ部４３０からメタデータを検出してそれをパーシングし、パーシングしたメタデータをモード分析部１１５に提供する。
【００４０】
モード分析部１１５は、パーサー部１１０から受信されたメタデータがコンテンツメニューを含むか否かを判断する。モード分析部１１５はコンテンツメニューが存在すると、コンテンツメニューを通じてコンテンツメニューを検出しメニュー処理部１２０に提供する。これにより、マルチメディアコンテンツ再生装置１００は、コンテンツメニューを通じてマルチメディアコンテンツを駆動する。このように、マルチメディアコンテンツ再生装置１００がコンテンツメニューを通じてマルチメディアコンテンツを駆動するモードをナビゲーションモードと言う。
【００４１】
一方、モード分析部１１５はコンテンツメニューが存在しないと、受信されたマルチメディアコンテンツファイル４００に対応する動画を早速再生するようにコンテンツメニューの不在を示すメニュー不在信号を制御部１４５に伝送する。これにより、マルチメディアコンテンツ再生装置１００は動画を再生するメディア再生プログラムで支援するメニューを通じてマルチメディアコンテンツを駆動する。このように、マルチメディアコンテンツ再生装置１００がメディア再生プログラムで支援するメニューを通じてマルチメディアコンテンツを駆動するモードを再生モードと言う。
【００４２】
データ保存部１２５は、マルチメディアコンテンツ再生装置１００の駆動に必要なデータ及び外部から受信されたデータを保存する。つまり、データ保存部１２５は、通信部１０５からマルチメディアコンテンツファイル４００を受信して保存し、保存されたマルチメディアコンテンツファイル４００をデマルチプレクサ１３０に提供する。また、データ保存部１２５はメディア再生プログラムを保存する。
【００４３】
デマルチプレクサ１３０は、データ保存部１２５からマルチメディアコンテンツファイル４００を受信する。デマルチプレクサ１３０は、マルチメディアコンテンツファイル４００を映像データ及び音声データに分離して出力する。デマルチプレクサ１３０から出力された映像データは映像処理部１３５に提供され、音声データは音声処理部１４０に提供される。
【００４４】
映像処理部１３５は映像データを復号化して出力し、音声処理部１４０は音声データを復号化して出力する。
【００４５】
一方、制御部１４５はマルチメディアコンテンツファイル４００が受信されると、データ保存部１２５に保存されたメディア再生プログラムを実行する。制御部１４５はモード分析部１１５から受信された信号に応じてマルチメディアコンテンツファイル４００がナビゲーションモードで動作されるファイルであるかそれとも再生モードで動作されるファイルであるかを判断し、該当モードに応じてマルチメディアコンテンツの駆動を制御する。
【００４６】
マルチメディアコンテンツ再生装置１００は、ユーザの操作に従って所定の入力命令を生成する入力部１５０を更に含む。入力部１５０は、ユーザの操作に従い入力命令を生成して制御部１４５に提供し、制御部１４５は入力命令に応じてマルチメディアコンテンツ再生装置１００の各構成要素を制御する制御信号を出力する。
【００４７】
また、マルチメディアコンテンツ再生装置１００は、アンテナ５００と連結され放送信号を受信するチューナー１５５を更に含む。チューナー１５５は、制御部１４５の制御に応じて入力チャネルを選局し、アンテナ５００を介して入力チャネルとして設定されたチャネルから受信された放送信号をデマルチプレクサ１３０に提供する。デマルチプレクサ１３０はチューナー１５５から受信された放送信号を映像データ及び音声データにそれぞれ分離して出力する。
【００４８】
また、マルチメディアコンテンツ再生装置１００は、映像表示部１６０及び音声出力部１６５を更に含む。映像表示部１６０は映像処理部１３５から映像データを受信して映像を表示する。また、映像表示部１６０は、メニュー処理部１２０からコンテンツメニューを受信してコンテンツメニューを表示する。音声出力部１６５は音声処理部１４０から音声データを受信して音声を出力する。
【００４９】
前述のように、本発明に係るマルチメディアコンテンツ再生装置１００は、マルチメディアコンテンツファイル４００で自体的に支援するコンテンツメニューを通じてマルチメディアコンテンツを駆動する。これにより、マルチメディアコンテンツ再生装置１００は、各マルチメディアコンテンツの特性に合うコンテンツサービスを提供することができ、ユーザの操作が容易になる。従って、マルチメディアコンテンツ再生装置１００は、サービス品質及びユーザの利便性を向上させることができる。
【００５０】
また、マルチメディアコンテンツ再生装置１００は、マルチメディアコンテンツに対する単純情報ではなく具体的な情報を多様に提供することができるので、サービス品質を向上させることができる。
【００５１】
図３は、本発明の一実施形態に係るマルチメディアコンテンツの再生過程を示すフローチャートである。
【００５２】
図１ないし図３に示すように、まず、通信部１０５は制御部１４５の制御に応じて通信網２００を介してコンテンツ提供装置３００からマルチメディアコンテンツファイル４００を受信し、受信されたマルチメディアコンテンツファイル４００をパーサー部１１０及びデータ保存部１２５に提供する（ステップＳ６１０）。
【００５３】
次に、パーサー部１１０は、マルチメディアコンテンツファイル４００の基本メタデータ部４２０及び拡張メタデータ部４３０からメタデータを検出してパーシングし、その結果をモード分析部１１５に提供する（ステップＳ６２０）。ここで、マルチメディアコンテンツファイル４００が再生モードで駆動されるファイルであると、拡張メタデータ部４３０を備えない。
【００５４】
次に、モード分析部１１５は、マルチメディアコンテンツファイル４００が拡張メタデータ部４３０を含むファイルであるか否かを判断する（ステップＳ６３０）。
ステップＳ６３０において、拡張メタデータ部４３０が存在しないと、モード分析部１１５はマルチメディアコンテンツファイル４００が再生モードで駆動されるファイルであることを示すメニュー不在信号を制御部１４５に伝送する。
【００５５】
制御部１４５は、データ保存部１２５に保存されたメディア再生プログラムを駆動し、映像表示部１６０及び音声出力部１６５はマルチメディアコンテンツファイル４００に対応する動画及び音声をそれぞれ出力する（ステップＳ６４０）。これにより、マルチメディアコンテンツ再生装置１００は、メディア再生プログラムで支援するメニューを通じてのみマルチメディアコンテンツを制御する再生モードで駆動される。
【００５６】
一方、ステップＳ６３０において、マルチメディアコンテンツファイル４００に拡張メタデータ部４３０が存在すると、モード分析部１１５は拡張メタデータ部４３０から取り出されたメタデータをメニュー処理部１２０に提供する。メニュー処理部１２０は、受信されたメタデータを用いてコンテンツサービスを提供するためのコンテンツメニューを生成して出力する。映像表示部１６０は、メニュー処理部１２０からコンテンツメニューを受信して表示する（ステップＳ６５０）。これにより、マルチメディアコンテンツ再生装置１００はコンテンツメニューを通じてマルチメディアコンテンツを制御するナビゲーションモードで駆動される。
【００５７】
図４は、図１に示された映像表示部においてコンテンツメニュー画面を表示する一例を示す図面である。
【００５８】
同図に示すように、映像表示部１６０に表示されたコンテンツメニュー（ＣＭ）は、動画を再生する再生メニュー、マルチメディアコンテンツの出力環境を調整する再生環境設定メニュー、動画に対する具体的な情報を示すコンテンツ情報メニュー、及び動画の重要なスチール画面を表示するスチール画面メニューを含む。
【００５９】
ここで、コンテンツメニュー（ＣＭ）はマルチメディアコンテンツを提供するコンテンツ提供者または動画製作者の意図によって多様なメニューで構成され得る。
【００６０】
再生メニューは、マルチメディアコンテンツファイル４００（図２参照）に対応する動画及び音声を出力する。
【００６１】
再生環境設定メニューは、マルチメディアコンテンツ再生時の動画の画面サイズ、画質、字幕で出力する言語などをユーザの選択に応じて設定するメニューを提供する。例えば、マルチメディアコンテンツで動画の字幕として韓国語及び英語が支援されると、再生環境設定メニューを通じて選択された言語で字幕が出力される。
【００６２】
コンテンツ情報メニューは、動画のタイトル、動画に対するあらまし、製作者、動画に出演する出演者、動画を製作した意図、登場人物に対する説明を表示し、動画の一部を見せるプレビューなどを支援する。
【００６３】
スチール画面メニューは、動画の重要スチール画面や製作過程を示すスチール画面を表示する。
【００６４】
図１及び図３に示すように、ステップＳ６５０に続き、表示されたコンテンツメニュー（ＣＭ）（図４参照）において、ユーザの操作によって特定のコンテンツメニューが選択されると、選択されたコンテンツメニューに対応するコンテンツサービスを提供する（ステップＳ６６０）。コンテンツサービスを提供する過程については後述する図５に基づいて詳述する。
【００６５】
次に、制御部１４５は選択されたコンテンツサービスが終了したか否かを判断し（ステップＳ６７０）、コンテンツサービスが終了していないと、現在状態を維持する（ステップＳ６６０）。
【００６６】
ステップＳ６７０において、コンテンツサービスが終了すると、制御部１４５はコンテンツメニューを表示するようにメニュー処理部１２０を制御し、これにより、映像表示部１６０はコンテンツメニューを再び表示する（ステップＳ６８０）。
【００６７】
前述のように、本発明に係るマルチメディアコンテンツ再生装置１００は、マルチメディアコンテンツファイル４００で自体的に支援するコンテンツメニューを通じてマルチメディアコンテンツを制御する。これにより、マルチメディアコンテンツ再生装置１００がマルチメディアコンテンツを提供する際、ユーザが容易に操作することができ、ユーザの利便性を向上させることができる。
【００６８】
図５は、図３に示されたコンテンツサービス過程を示すフローチャートである。
【００６９】
図１及び図５に示すように、制御部１４５は、ユーザの操作によって特定のコンテンツサービスを要請するコンテンツメニューを受信する（ステップＳ６６１）。
【００７０】
制御部１４５は選択されたコンテンツメニューが再生メニューであるか否かを判断し（ステップＳ６６２）、選択されたコンテンツメニューが再生メニューであると、制御部１４５は受信されたマルチメディアコンテンツファイル４００（図２参照）に動画データ部４４０（図２参照）が存在するか否かを判断する（ステップＳ６６３）。
【００７１】
ステップＳ６６３において、動画データ部４４０が存在しないと、制御部１４５は受信されたマルチメディアコンテンツファイル４００に対応する動画ファイルをコンテンツ提供装置３００に要請する（ステップＳ６６４）。
【００７２】
次に、通信部１０５は、コンテンツ提供装置３００から動画ファイルを受信してデマルチプレクサ１３０に提供する（ステップＳ６６５）。デマルチプレクサ１３０は動画ファイルを映像データ及び音声データに分離して映像処理部１３５及び音声処理部１４０にそれぞれ提供し、これにより、映像表示部１６０及び音声出力部１６５はマルチメディアコンテンツに対応する動画及び音声を出力する（ステップＳ６６６）。
【００７３】
一方、ステップＳ６６３において、マルチメディアコンテンツファイル４００に動画データ部４４０が存在すると、デマルチプレクサ１３０はマルチメディアコンテンツファイル４００の動画データ部４４０からデータを検出して映像データ及び音声データに分離し、映像データ及び音声データを映像処理部１３５及び音声処理部１４０にそれぞれ提供する。これにより、映像表示部１６０及び音声出力部１６５は、マルチメディアコンテンツに対応する動画及び音声を出力する（ステップＳ６６６）。
【００７４】
一方、ステップＳ６６２において、選択されたコンテンツメニューが再生メニューではないと、選択されたコンテンツメニューが再生環境設定メニューであるか否かを判断する（ステップＳ６９１）。
【００７５】
ステップＳ６９１において、選択されたコンテンツメニューが再生環境設定メニューであると、動画の再生環境をユーザの操作によって設定する再生環境設定画面を表示する（ステップＳ６９２）。
【００７６】
次に、制御部１４５は、再生環境設定画面を通じて入力された設定値に応じて動画の再生環境を再設定する（ステップＳ６９３）。
【００７７】
一方、ステップＳ６９１において、選択されたコンテンツメニューが再生環境設定メニューではないと、制御部１４５は選択されたコンテンツメニューがコンテンツ情報メニューであるか否かを判断する（ステップＳ６９４）。
【００７８】
ステップＳ６９４において、選択されたコンテンツメニューがコンテンツ情報メニューであると、制御部１４５はマルチメディアコンテンツに対する情報を示すメタデータをマルチメディアコンテンツファイル４００の拡張メタデータ部４３０から検出して映像処理部１３５に提供し、映像処理部１３５はメタデータを復号化して映像表示部１６０に提供する。これにより、映像表示部１６０はマルチメディアコンテンツに対応する具体的な情報を表示する（ステップＳ６９５）。
【００７９】
一方、ステップＳ６９４において、選択されたコンテンツメニューがコンテンツ情報メニューではなく、スチール画面メニューであると、映像表示部１６０は動画の主要スチール画面を表示する。
【００８０】
前述のように、本発明に係るマルチメディアコンテンツ再生装置１００は、各マルチメディアコンテンツの特性を考慮してマルチメディアコンテンツ毎に生成されたコンテンツメニューを通じてマルチメディアコンテンツを制御する。これにより、マルチメディアコンテンツ再生装置１００は、各マルチメディアコンテンツの特性に合うコンテンツサービスを提供することができるので、サービス品質を向上させることができる。
【００８１】
以上、本発明の好適な実施形態を図示及び説明してきたが、本発明の技術的範囲は前述の実施形態に限定するものではなく、特許請求の範囲に基づいて定められ、特許請求の範囲において請求する本発明の要旨から外れることなく当該発明が属する技術分野において通常の知識を有する者であれば誰もが多様な変形実施が可能であることは勿論のことであり、該変更した技術は特許請求の範囲に記載された発明の技術的範囲に属するものである。
【図面の簡単な説明】
【００８２】
【図１】本発明の一実施形態に係るマルチメディアコンテンツ再生装置を示すブロック図である。
【図２】図１に示されたマルチメディアコンテンツ再生装置再生されるマルチメディアコンテンツファイルの構造を示すブロック図である。
【図３】本発明の一実施形態に係るマルチメディアコンテンツ再生過程を示すフローチャートである。
【図４】図１に示された映像表示部でコンテンツメニュー画面を表示する一例を示す図面である。
【図５】図３に示されたコンテンツサービス過程を示すフローチャートである。
【符号の説明】
【００８３】
１００      マルチメディアコンテンツ再生装置
２００      通信網
３００      コンテンツ提供装置
４００      マルチメディアコンテンツファイル
５００      アンテナ
【図１】
2007159107.tif 000003
【図２】
2007159107.tif 000004
【図３】
2007159107.tif 000005
【図４】
2007159107.tif 000006
【図５】
2007159107.tif 000007